(57)【特許請求の範囲】
【請求項１】
ケーブル固定具（１）と台座（２）とを備え、台座（２）にスナップフィット孔（４）が設けられ、ケーブル固定具（１）にクリップ（３）が設けられ、組立時、前記クリップ（３）が前記スナップフィット孔（４）に嵌め込まれるスナップフィット構造であって、クリップ（３）に、上昇方向に沿って第２外側面（６）が設けられ、前記クリップ（３）の上昇方向の第２外側面（６）とケーブル固定具（１）の壁面とは、交差するとともに上が小さく下が大きいような楔形を形成し、
前記クリップ（３）には、ケーブル固定具（１）を台座（２）に組み立てる前進方向に沿って第１外側面（５）が設けられ、ケーブル固定具（１）を台座（２）に組み立てる前進方向に沿って、クリップ（３）の第１外側面（５）およびケーブル固定具（１）の壁面は、前が小さく後が大きいような楔形を形成することを特徴とするスナップフィット構造。
【請求項２】
前記第１外側面（５）のケーブル固定具（１）の壁面に対する角度が、５〜８０°の範囲とされていることを特徴とする請求項１に記載のスナップフィット構造。
【請求項３】
前記台座（２）の後部がＵ字状となり、前記ケーブル固定具（１）が逆Ｕ字状となり、前記ケーブル固定具（１）を台座（２）に対して組み立てると、ケーブル固定具（１）の下端の開口部が台座（２）によって密封されることを特徴とする請求項１又は２に記載のスナップフィット構造。
【請求項４】
前記台座（２）の両腕に、スナップフィット孔（４）が設けられ、前記ケーブル固定具（１）の両腕に、クリップ（３）が設けられ、前記第２外側面（６）の、ケーブル固定具（１）の壁面に対する角度が、５〜８０°の範囲とされていることを特徴とする請求項３に記載のスナップフィット構造。
【請求項５】
上カバー（７）をさらに備え、組み立て完了後、前記上カバー（７）の上部がケーブル固定具（１）の上面を押え、上カバー（７）の下部が台座（２）の底面を施蓋することを特徴とする請求項１又は２に記載のスナップフィット構造。
【請求項６】
前記クリップ（３）が、第３外側面（８）をさらに備え、前記クリップ（３）には、ケーブル固定具（１）を台座（２）に組み立てる前進方向に沿って第１外側面（５）が設けられ、第３外側面（８）がケーブル固定具（１）の壁面と平行し、第１外側面（５）が第３外側面（８）と交差し、第２外側面（６）が第３外側面（８）と交差し、第１外側面（５）が第２外側面（６）と交差することを特徴とする請求項５に記載のスナップフィット構造。
【請求項７】
前記第１外側面（５）と第２外側面（６）との交差箇所が円弧の連続構造であることを特徴とする請求項６に記載のスナップフィット構造。
【請求項８】
前記ケーブル固定具（１）の内壁面に、ケーブル挟持リブ（９）が設けられることを特徴とする請求項１又は２に記載のスナップフィット構造。
【請求項９】
請求項１〜８のいずれかに記載のスナップフィット構造を備え、光コネクタ又は光ファイバ用メカニカルスプライスであることを特徴とする光ファイバー接続装置。
【発明の詳細な説明】
【技術分野】
【０００１】
本発明は光ファイバ接続のハードウェア構造の技術分野に関し、特にスナップフィット構造及びそれを用いた光ファイバー接続装置に関する。
【背景技術】
【０００２】
光ファイバ通信技術（ｏｐｔｉｃａｌ  ｆｉｂｅｒ  ｃｏｍｍｕｎｉｃａｔｉｏｎｓ）は、通信技術で頭角を現し、現代通信における主な通信技術の１つとなっており、現代の電気通信網に重要な役割を果たしているものである。
【０００３】
ファイバ・トゥ・ザ・ホーム（ＦＴＴＨ、Ｆｉｂｅｒ  Ｔｏ  ｔｈｅ  Ｈｏｍｅ）で、光ファイバ配線の強度需要を満たすように光ファイバの固定に十分な強度を有することが求められるだけでなく、容易に取り外すと共に、迅速な検出、修復の需要を満たすことも求められる。従来の光コネクタのスナップフィット構造は光ファイバ固定強度の需要を満たすことができるが、取り外し作業が不便であり、迅速な検出、修復の需要を満たすことができない。
【発明の概要】
【発明が解決しようとする課題】
【０００４】
本発明は、取り外しやすく、迅速な検出、修復の需要を満たすことができるスナップフィット構造及びそれを用いた光ファイバー接続装置を提供することを目的とする。
【課題を解決するための手段】
【０００５】
上記の目的を達成するために、本発明は以下の技術案を採用するものである。
【０００６】
ケーブル固定具と台座とを備え、台座にスナップフィット孔が設けられ、ケーブル固定具にクリップが設けられ、組立時、クリップがスナップフィット孔に嵌め込まれ、クリップに、上昇方向に沿って第２外側面が設けられ、クリップの上昇方向の第２外側面およびケーブル固定具の壁面は、共に上が小さく下が大きいような楔形を形成するスナップフィット構造。
【０００７】
クリップの下壁面が、スナップフィット孔の壁面に対して平行となる。
【０００８】
ケーブル固定具を台座に組み立てる前進方向に沿って、クリップの第１外側面およびケーブル固定具の壁面は、共に前が小さく後が大きいような楔形を形成する、クリップの後壁面が、スナップフィット孔の壁面に対して平行となる。
【０００９】
好ましくは、第１外側面のケーブル固定具の壁面に対する角度が、５〜８０°の範囲とされている。
【００１０】
台座の後部がＵ字状となり、ケーブル固定具が逆Ｕ字状となり、ケーブル固定具を台座に対して組み立てると、ケーブル固定具の下端の開口部が台座によって密封される。
【００１１】
好ましくは、台座の両腕に、スナップフィット孔が設けられ、ケーブル固定具の両腕に、クリップが設けられ、第２外側面の、ケーブル固定具の壁面に対する角度が５〜３０°の範囲とされている。
【００１２】
スナップフィット構造は、上カバーをさらに備え、組み立て完了後、上カバーの上部がケーブル固定具の上面を押え、上カバーの下部が台座の底面を施蓋する。
【００１３】
クリップが、第３外側面をさらに備え、第３外側面がケーブル固定具の壁面と平行し、第１外側面が第３外側面と交差し、第２外側面が第３外側面と交差する。
【００１４】
好ましくは、第１外側面と第２外側面との交差箇所が、円弧の連続構造である。
【００１５】
ケーブル固定具の内壁面に、ケーブル挟持リブが設けられる。
【００１６】
好ましくは、ケーブル挟持リブが、対になってケーブル固定具の内壁面に対称的に設けられる。
【００１７】
ケーブル挟持リブが３対形成されている。
【００１８】
本発明は、上記スナップフィット構造を備える光ファイバー接続装置をさらに提供するものである。
【００１９】
好ましくは、光ファイバー接続装置が光コネクタ又は光ファイバ用メカニカルスプライスである。
【発明の効果】
【００２０】
本発明は以下のような有益な効果を有しているものである。スナップフィット構造は、ケーブル固定具と台座とを備え、台座にスナップフィット孔が設けられ、ケーブル固定具にクリップが設けられ、組立時、クリップがスナップフィット孔に嵌め込まれ、クリップに、上昇方向に沿って第２外側面が設けられ、クリップの上昇方向の第２外側面およびケーブル固定具の壁面は、共に上が小さく下が大きいような楔形を形成する。取り外し時、上方に向かってクリップを引き上げ、クリップの上昇方向の第２外側面およびケーブル固定具の壁面は、共に上が小さく下が大きいような楔形を形成しているため、小さい力でクリップとスナップフィット孔との分離や、ケーブル固定具と台座との取り外しを実現でき、取り外しやすく、光コネクタの迅速な検出、再組立、修復の需要を満たすことができる。
【図面の簡単な説明】
【００２１】
本発明の実施例の技術案をより明確で効果的に説明するために、実施例に必要される図面を簡単に説明し、勿論、以下に説明される図面は、あくまでも本発明のいくつかの実施例に過ぎず、当業者として、創造性を発揮しないまま、これらの図面に基づいてほかの図面を作成することができる。
【図１】本発明に係るスナップフィット構造の分解立体図である。
【図２】本発明に係るスナップフィット構造のケーブル固定具の側面から見る構造模式図である。
【図３】本発明に係るスナップフィット構造のケーブル固定具の他方の側面から見る構造模式図である。
【図４】本発明に係るスナップフィット構造のケーブル固定具と台座との組立構造の模式図である。
【図５】本発明に係るスナップフィット構造の構造模式図である。
【発明を実施するための形態】
【００２２】
本発明は、スナップフィット構造及びそれを用いる光ファイバー接続装置を提供するものである。本発明の技術案をより明確に理解させ、本発明の上記目的、特徴、有益な効果をより明瞭させ、分かりやすくするために、以下、図面１〜５と具体的な実施形態を参照しながら本発明を詳しく説明する。
【００２３】
実施例１
スナップフィット構造は、ケーブル固定具１と台座２とを備え、台座２にスナップフィット孔４が設けられ、ケーブル固定具１にクリップ３が設けられ、組立時、クリップ３がスナップフィット孔４に嵌め込まれ、クリップ３に、上昇方向に沿って第２外側面６が設けられ、クリップ３の上昇方向の第２外側面６およびケーブル固定具１の壁面は、共に上が小さく下が大きいような楔形を形成する。
【００２４】
取り外し時、クリップ３の上昇方向の第２外側面６及びケーブル固定具１の壁面は、共に上が小さく下が大きいような楔形を形成しているため、上方に向かってクリップ３を引き上げ、小さい力でクリップ３とスナップフィット孔４との組立状態を解除し、台座２からケーブル固定具１を取り外すことを実現し、取り外しやすく、光コネクタの迅速な検出、修復の需要を満たすことができる。
【００２５】
本実施例では、クリップ３には、ケーブル固定具１を台座２に組み立てる前進方向に沿って、第１外側面５が設けられ、ケーブル固定具１を台座２に組み立てる前進方向に沿って、クリップ３の第１外側面５およびケーブル固定具１の壁面は、共に前が小さく後が大きいような楔形を形成する。クリップ３の後壁面がスナップフィット孔４の壁面に対してと平行となる。組立時、クリップ３の前進方向の第１外側面５およびケーブル固定具１の壁面は、共に前が小さく後が大きいような楔形を形成しているため、ケーブル固定具１を後部から台座２に直接押し込むことができ、クリップ３の後壁面がスナップフィット孔４の壁面に対して平行となり、スナップフィット孔４が、クリップ３が後退できないように、クリップ３を強固に固定することができ、光ファイバ固定の十分な強度を確保する。
【００２６】
本実施例では、第１外側面５のケーブル固定具１の壁面に対する角度が、５°とされ、５°の楔形角によって小さい力でケーブル固定具１を押し込むことができる。第１外側面５のケーブル固定具１の壁面に対する角度は、１０°、１５°、２５°、３０°、３５°、４０°４５°、５０°５５°、６０°、６５°、７０°、７５°又は８０°等の鋭角角度とされてもよい。
【００２７】
本実施例では、台座２の後部がＵ字状となり、ケーブル固定具１が逆Ｕ字状となり、ケーブル固定具１を台座２に対してが組み立てると、ケーブル固定具１の下端の開口部が台座２によって密封され、ケーブル固定具１が台座２と共に上下密封構造を構成し、光ファイバが該上下密封構造によって係止される。台座２の両腕に、スナップフィット孔４が設けられ、ケーブル固定具１の両腕に、クリップ３が設けられ、クリップ３がスナップフィット孔４に嵌め込まれ、該構造が左右対称の構造となり、クリップ３にかかる力が均一であり、組立構造が強固である。取り外し時、外に向かって台座２の両腕を軽く押し、上に向かってクリップ３を引き上げる際、第２外側面６の楔形面によって、クリップ３とスナップフィット孔４との分離を実現し、コネクタを分割する目的を達成する。台座２の両腕が左右両側に向かって弾性変形し、コネクタの構造完全性を破壊することなく、固定後の光ファイバを容易に取り除く・取り出すことができ、メンテナンス、再組立、修復等の需要を満たす。
【００２８】
本実施例では、第２外側面６のケーブル固定具１の壁面に対する角度が、５°とされ、即ち、楔形角が５°の楔形角である。これに代えて、第２外側面６のケーブル固定具１の壁面に対する角度が、１０°、１５°、２５°、３０°、３５°、４０°４５°、５０°５５°、６０°、６５°、７０°、７５°又は８０°等の鋭角角度とされてもよい。
【００２９】
本実施例では、クリップ３の下壁面がスナップフィット孔４の壁面と平行し、クリップ３とスナップフィット孔４との良好な嵌合を確保するので、クリップ３をスナップフィット孔４内に強固に嵌合することができる。
【００３０】
本実施例では、スナップフィット構造は上カバー７をさらに備え、組み立て完了後、上カバー７の上部がケーブル固定具１の上面を押え、上カバー７の下部が台座２の底面を施蓋する。上カバー７は、光ファイバを取り外す必要がない時、ケーブル固定具１を動作位置に固定することを確保し、上カバー７が動作位置から離れてからこそ、ケーブル固定具１をコネクタ固定台２の上部から取り外すことができる。コネクタの動作過程で光ファイバ又はレザーケーブルに対する固定強度を効果的に確保し、各方向からレザーケーブル又は光ファイバを引いても接続の信頼性を破壊しない。
【００３１】
本実施例では、クリップ３は第３外側面８をさらに備え、第３外側面８がケーブル固定具１の壁面と平行し、第１外側面５が第３外側面８と交差し、第２外側面６が第３外側面８と交差する。
【００３２】
第１外側面５と第２外側面６との交差箇所が円弧の連続構造であるので、ケーブル固定具１と台座２との着脱過程の利便性を確保する。
【００３３】
本実施例では、ケーブル固定具１の内壁面に、ケーブル挟持リブ９が設けられ、ケーブル挟持リブ９が、対となってケーブル固定具１の内壁面に対称的に設けられ、ケーブル挟持リブ９が３対形成され、ケーブル固定具１の光ファイバ又はレザーケーブルに対する十分な把持強度を確保する。
【００３４】
実施例２
実施例１のスナップフィット構造を備える光コネクタ。
【００３５】
実施例３
実施例１のスナップフィット構造を備える光ファイバ用メカニカルスプライス。
【００３６】
以上、具体的な実施例を参照して本発明の技術的原理を説明した。それらの説明は本発明の原理を解釈するものに過ぎず、本発明の保護範囲を限定するものではない。ここでの解釈に基づき、当業者は創造性な労働を必要とせずに本発明のほかの具体的な実施形態を想到でき、これらの実施形態も本発明の保護範囲に含まれる。
【符号の説明】
【００３７】
１−ケーブル固定具；２−台座；３−クリップ；４−スナップフィット孔；５−第１外側面；６−第２外側面；７−上カバー；８−第３外側面；９−挟持リブ。
【図１】
0006271739.tif 000002
【図２】
0006271739.tif 000003
【図３】
0006271739.tif 000004
【図４】
0006271739.tif 000005
【図５】
0006271739.tif 000006